(57)【要約】【課題】  どのような形状、サイズのコネクタが接続されていたとしても、ケーブル及びコネクタのシールドを行うことが可能なようにする。【解決手段】  導電性布状体から構成されており、コネクタと、このコネクタに接続されるケーブル６００のコネクタ接続部とをシールドするコネクタ・ケーブル用シールド材であって、前記コネクタを覆うコネクタカバー部１１０と、前記ケーブル６００を覆うケーブルカバー部１２０とを有しており、コネクタカバー部１１０とケーブルカバー部１２０とは連結して構成されており、導電性布状体を構成する縦糸１５０が導電性を有する素材で、横糸１６０は熱収縮性を有するポリエステル系糸でそれぞれ構成されている。【選択図】      図２
2016127054.tif 000002
【特許請求の範囲】
【請求項１】
導電性布状体から構成されており、コネクタと、このコネクタに接続されるケーブルのコネクタ接続部とをシールドするコネクタ・ケーブル用シールド材において、前記コネクタを覆うコネクタカバー部と、前記ケーブルを覆うケーブルカバー部とを有しており、コネクタカバー部とケーブルカバー部とは連結して構成されており、前記導電性布状体を構成する縦糸、横糸の少なくとも一方が導電性を有する素材から構成されていることを特徴とするコネクタ・ケーブル用シールド材。
【請求項２】
前記導電性を有する素材は、合成樹脂糸を導電性金属箔が覆ったものであることを特徴とする請求項１記載のコネクタ・ケーブル用シールド材。
【請求項３】
前記導電性布状体を構成する縦糸、横糸の少なくとも一方は熱収縮性を有するものであることを特徴とする請求項１又は２記載のコネクタ・ケーブル用シールド材。
【発明の詳細な説明】
【技術分野】
【０００１】
本発明は、終端にコネクタが接続されたケーブル及びコネクタ周りからのノイズを遮断するコネクタ・ケーブル用シールド材に関する。
【背景技術】
【０００２】
この種のシールド材としては、金属糸をチューブ状に編み上げたものがある。このシールド材にケーブルを挿通し、ケーブルからのノイズを遮断するのである。
【０００３】
ケーブルの終端にはコネクタが接続される。このコネクタはケーブルより大きいので、シールド材は、拡げた状態でコネクタに接続されるのが一般的である。
このため、ケーブルの終端、すなわちコネクタへの接続部においては、シールド材を構成する金属糸の間の隙間が他の部分より大きくなるため、そこからノイズ漏れが発生しやすいという問題点がある。
【０００４】
かかる問題を解決するために、『素線が織られた編組線として形成され、複数本の電線を覆ってシールドするシールド部材であって、前記素線の断面が偏平で且つ該素線の偏平な面が前記編組線の表面に沿って偏平となるよう形成されてなる』シールド部材が特開２０１２−１６９４９７号公報で開示されている。
【０００５】
【特許文献１】特開２０１２−１６９４９７号公報
【発明の開示】
【発明が解決しようとする課題】
【０００６】
しかしながら、このシールド部材は、『素線の断面を偏平で且つ該素線の偏平な面が前記編組線の表面に沿って偏平となるよう』にするため、『編組線の一部を拡げる第１の工程と、前記拡げられた部分の素線が前記編組線の表面に沿って偏平となるようプレスする第２の工程』とを施さなければならない。
すなわち、接続されるべきコネクタの形状に対応するように、拡径工程（第１の工程）と、プレス工程（第２の工程）とを施す必要がある。しかも、各工程においてコネクタの形状、サイズに対応した治具が必要になる。
すなわち、この特許文献１記載のシールド部材であると、コネクタの形状に応じて２つの加工作業が必要になるとともに、コネクタの形状、サイズに対応した多くの治具を準備しておかなけれはならないという問題点がある。
【０００７】
本発明は、上記事情に鑑みて創案されたもので、どのような形状、サイズのコネクタが接続されていたとしても、ケーブル及びコネクタのシールドを行うことが可能なコネクタ・ケーブル用シールド材を提供することを目的としている。
【課題を解決するための手段】
【０００８】
本発明に係るコネクタ・ケーブル用シールド材は、導電性布状体から構成されており、コネクタと、このコネクタに接続されるケーブルのコネクタ接続部とをシールドするコネクタ・ケーブル用シールド材であって、前記コネクタを覆うコネクタカバー部と、前記ケーブルを覆うケーブルカバー部とを有しており、コネクタカバー部とケーブルカバー部とは連結して構成されている。
【０００９】
また、導電性布状体を構成する縦糸、横糸の少なくとも一方が導電性を有する素材から構成されている。
【００１０】
また、記導電性を有する素材は、合成樹脂糸を導電性金属箔が覆ったものである。
【００１１】
なお、導電性布状体を構成する縦糸、横糸の少なくとも一方は熱収縮性を有するものである。
【発明の効果】
【００１２】
本発明に係るコネクタ・ケーブル用シールド材は、コネクタカバー部でコネクタを、ケーブルカバー部でケーブルをそれぞれ覆うようになっているので、コネクタを覆うコネクタカバー部を拡げた状態でコネクタを覆う必要がない。このため、シールド材を構成する金属糸の間の隙間が他の部分より大きくなることがないので、そこからノイズ漏れが発生するおそれが低減する。
【図面の簡単な説明】
【００１３】
【図１】本発明の実施の形態に係るコネクタ・ケーブル用シールド材を拡げた状態の概略的平面図である。
【図２】本発明の実施の形態に係るコネクタ・ケーブル用シールド材によりコネクタ及びケーブルを覆った状態の概略的斜視図である。
【図３】本発明の実施の形態に係るコネクタ・ケーブル用シールド材を構成する導電性布状体の概略的一部拡大平面図である。
【図４】本発明の実施の形態に係るコネクタ・ケーブル用シールド材の電磁波シールド効果を示す概略的近傍界測定結果図である。
【図５】本発明の実施の形態に係るコネクタ・ケーブル用シールド材の電磁波シールド効果を示す概略的近傍界測定結果図である。
【図６】本発明の実施の形態に係るコネクタ・ケーブル用シールド材の電磁波シールド効果を示す概略的遠方界測定結果図である。
【発明を実施するための形態】
【００１４】
本発明の実施の形態に係るコネクタ・ケーブル用シールド材１００は、導電性布状体から構成されており、コネクタと、このコネクタに接続されるケーブル６００のコネクタ接続部とをシールドするコネクタ・ケーブル用シールド材であって、前記コネクタを覆うコネクタカバー部１１０と、前記ケーブル６００を覆うケーブルカバー部１２０とを有しており、コネクタカバー部１１０とケーブルカバー部１２０とは連結して構成されている。なお、コネクタとコネクタ接続部とは、図２においては、コネクタ・ケーブル用シールド材１００で覆われているために見えていない。
【００１５】
前記導電性布状体は、図３に示すように、縦糸１５０と横糸１６０とを織って構成されている。ここで、コネクタ・ケーブル用シールド材１００の長手方向、すなわちケーブル６００に沿った糸を縦糸１５０とし、ケーブル６００に直交した糸（コネクタ・ケーブル用シールド材１００の短手方向に沿った糸）を横糸１６０とする。
前記縦糸１５０が導電性を有する素材から構成されている。この縦糸１５０は、合成樹脂糸と、この合成樹脂糸の表層を覆う導電性を有する導電性金属箔とから構成されている。合成樹脂糸としてはポリエステル系糸が使用され、このポリエステル系糸を覆う導電性金属箔としては銅箔を使用する。
【００１６】
一方、横糸１６０は導電性を有しておらず、熱収縮性を有するポリエステル系糸で構成されている。この横糸１６０は、縦糸１５０と直交する方向に並んでいるので、コネクタ・ケーブル用シ８ルド材の短手方向に沿って配置されることになる。
【００１７】
なお、導電性布状体を構成する縦糸１５０の太さは０．７ｍｍ、縦糸１５０のピッチは１．１７ｍｍ、横糸１６０の太さは０．２ｍｍ、横糸１６０のピッチは１．０２ｍｍ８なっている。また、この導電性布状体の厚さ寸法は０．８ｍｍになっている。なお、この横糸１６０や縦糸１５０の太さやピッチ、厚さ寸法は一例であって、本発明がこれに限定されるものではないことはいうまでもない。
【００１８】
前記コネクタカバー部１１０は、図１に示すように、包囲すべきコネクタのサイズに対応した略矩形状に形成されている。従って、このコネクタカバー部１１０でコネクタを完全に包み込むことができるようになっている。
【００１９】
一方、前記ケーブルカバー部１２０は、前記コネクタカバー部１１０から突出された矩形状体である。コネクタに接続されるケーブル６００は、コネクタより細いものであるから、コネクタカバー部１１０と同じ幅寸法とすると、ケーブル６００を包み込んでも余る部分が出てくるし、その部分でケーブル６００を覆おうとしても、隙間が生じてしまい、完全なシールドが不可能になる。
また、このケーブルカバー部１２０は、ケーブル６００の大部分をシールドしている従来のシールド材（金属糸をチューブ状に編み上げたもの）と接することで導通するようになっている。
【００２０】
前記ケーブルカバー部１２０でケーブル６００、それもコネクタに接続された部分であるコネクタ接続部を覆う。このケーブルカバー部１２０は余ることなくケーブル６００を覆うことができる形状に成形されている。このケーブルカバー部１２０がケーブル６００から外れないように必要に応じて結束バンド等の締結部材で締めつける（図２では結束バンド等の締結部材は使用していない）。なお、結束バンド等の締結部材を使用するのは、可動部や振動する部分がある場合、ケーブル６００の表面が滑りやすい場合などである。
【００２１】
このようにしてコネクタと、このコネクタに接続されるケーブル６００のコネクタ接続部とを、これらの形状に沿ったコネクタ・ケーブル用シールド材１００で覆うことができる。このため、このコネクタ・ケーブル用シールド材１００を用いると、従来のようにコネクタの部分の金属糸の間の隙間が他の部分より大きくなることに起因するノイズ漏れが発生しなくなる。
特に、横糸１６０は、熱収縮性を有するポリエステル系糸で構成されているので、コネクタ・ケーブル用シールド材１００でコネクタ及びケーブル６００を覆った後に熱を加えることで収縮し、より完全にコネクタ及びケーブル６００の形状に密着して覆うため、シールド性能が高くなる。すなわち、このコネクタ・ケーブル用シールド材１００は、自己巻き付け性を有しているため、コネクタ及びケーブル６００に３６０度面接地（３６０度全周に渡って包み込む）できるので、高いシールド性能を得ることができるのである。
また、このコネクタ・ケーブル用シールド材１００は、ホックや面ファスナー等の別体の取付部材を必要としないというメリットがある。
【００２２】
また、コネクタカバー部１１０で覆われたコネクタと、ケーブルカバー部１２０で覆われたケーブル６００のコネクタ接続部とは、図示しない絶縁体カバーでカバーする。
この絶縁体カバーは、コネクタをコネクタカバー部１１０とともに覆うことができる大径部と、ケーブル６００のコネクタ接続部をケーブルカバー部１２０とともに覆うことができる小径部とが連続した形成されたものであり、合成ゴム等の絶縁体で一体成形されている。
【００２３】
このように構成されたコネクタ・ケーブル用シールド材１００のシールド効果を確認するために以下のような実験を行った。
ケーブル６００の一端にコネクタを接続し、このコネクタから２３５ｍｍの範囲のケーブル６００からの電磁波の漏れを縦方向５ｍｍピッチで４７箇所、横方向５ｍｍピッチで５箇所の合計２３５箇所で近傍界磁界を測定した。なお、縦方向とはケーブル６００に沿った方向をいい、横方向とはケーブル６００に対して直交して方向をいうものとする。また、１ＭＨｚ、８０ＭＨｚのそれぞれで測定行った。
【００２４】
図４（Ａ）は一切のシールド材がない場合、同部（Ｂ）は従来のシールド材で覆われている場合、同図（Ｃ）は本発明の実施の形態に係るコネクタ・ケーブル用シールド材１００で覆われている場合であり、周波数は１ＭＨｚである。また、図面の左側にコネクタが接続されている。
【００２５】
図４（Ａ）によると、一切のシールド材がない場合は、中心部分全体に渡って１８〜２４ｄＢμＶの電磁波が観察される。特に、コネクタに近い部分では２２〜２６ｄＢμＶの電磁波が観察される。なお、横方向に最も離れた部分では、１０〜１２ｄＢμＶの電磁波が観察される。
【００２６】
一方、図４（Ｂ）によると、従来のシールド材で覆われたものは、全体として０〜４ｄＢμＶの電磁波が観察されるが、特にコネクタに近い部分では散発的に６〜８ｄＢμＶ、８〜１０ｄＢμＶの電磁波が観察される。これは、コネクタを覆うためにシールド材を構成する金属糸の間の隙間が他の部分より大きくなるためであろうと推測される。
【００２７】
これに対し、本発明の実施の形態に係るコネクタ・ケーブル用シールド材１００で覆われたものでは、図４（Ｃ）に示すように、ほぼ全体で０〜４ｄＢμＶの電磁波が観察され、コネクタから離れた位置に散発的かつごく一部に６〜８ｄＢμＶの電磁波が観察されるだけで、１０ｄＢμＶの電磁波は観察されていないことが判明する。
これは、本発明の実施の形態に係るコネクタ・ケーブル用シールド材１００のケーブルカバー部１２０が確実にケーブル６００を覆っているためであると推測される。
【００２８】
また、同様の実験の周波数８０ＭＨｚで行った。
図５（Ａ）は一切のシールド材がない場合、同部（Ｂ）は従来のシールド材で覆われている場合、同図（Ｃ）は本発明の実施の形態に係るコネクタ・ケーブル用シールド材１００で覆われている場合であるまた、図面の左側にコネクタが接続されている。
【００２９】
図５（Ａ）によると、一切のシールド材がない場合は、中心部分全体に渡って４４〜６０ｄＢμＶの電磁波が観察される。特に、コネクタに近い部分では５６〜６０ｄＢμＶの電磁波が観察される。なお、横方向に最も離れた部分でも、４４〜４８ｄＢμＶの電磁波が観察される。
【００３０】
一方、図５（Ｂ）によると、従来のシールド材で覆われたものは、全体として０〜３２ｄＢμＶの電磁波が観察されるが、特にコネクタに近い部分では散発的に２８〜３６ｄＢμＶの電磁波が観察される。また、ケーブル６００の中心に沿って１６〜２８ｄＢμＶの電磁波が観察される。これは、コネクタを覆うためにシールド材を構成する金属糸の間の隙間が他の部分より大きくなるためであろうと推測される。なお、電磁波がほぼ観測されない０〜４ｄＢμＶの箇所は散点的に数カ所観察されるだけである。
【００３１】
これに対し、本発明の実施の形態に係るコネクタ・ケーブル用シールド材１００で覆われたものでは、図５（Ｃ）に示すように、ほぼ全体で０〜４ｄＢμＶの電磁波が観察され、散発的かつごく一部に１２〜１６ｄＢμＶの電磁波が観察されるだけで、１６ｄＢμＶ以上の電磁波は観察されていないことが判明する。
これは、本発明の実施の形態に係るコネクタ・ケーブル用シールド材１００のケーブルカバー部１２０が確実にケーブル６００を覆っているためであると推測される。
【００３２】
上述したように、近傍界磁界測定では、本発明の実施の形態に係るコネクタ・ケーブル用シールド材１００を使用した場合には、なにもシールド材を使用しない場合はもとより、従来のシールド材を使用した場合より、電磁波のシールド効果が高いことが判明する。また、このコネクタ・ケーブル用シールド材１００では、周波数が高いほど電磁波のシールド効果が高いことも確認できた。
【００３３】
図６に遠方界磁界測定結果を示すグラフである。
このグラフによると、本発明の実施の形態に係るコネクタ・ケーブル用シールド材１００と従来のシールド材とでは、１ＭＨｚ以下ではほぼ同等のシールド効果を有していることが確認できるが、それ以上では本発明の実施の形態に係るコネクタ・ケーブル用シールド材１００のほうが従来のシールド材よりシールド効果が１０ｄＢ以上高いことが確認できる。
もちろん、なにもシールド材を使用していない場合よりシールド効果が３０ｄＢ以上高いことも確認できる。
なお、３０ＭＨｚでグラフが途切れているのは、３０ＭＨｚを境に電磁波を検出するアンテナが変更されたためである。
【００３４】
なお、上述した実施の形態では、導電性布状体を構成する縦糸１５０と横糸１６０のうち、縦糸１５０が導電性を有する素材から構成され、横糸１６０が導電性を有さない熱収縮性を有するポリエステル系糸で構成されているとしたが、本発明がこれに限定されるものではない。
縦糸１５０のみが熱収縮性を有するものであってもよいし、横糸１６０のみが導電性を有するものであってもよい。また、縦糸１５０、横糸１６０ともに熱収縮性を有し、導電性を有するものであってもよいことはいうまでもない。
【００３５】
また、前記導電性を有する素材である横糸１６０が合成樹脂糸を導電性金属箔（銅箔）で覆われたものとしたが、導電性を有するものであればどのようなものであってもよいことはいうまでもない。
【符号の説明】
【００３６】
１００    コネクタ・ケーブル用シールド材
１１０    コネクタカバー部
１２０    ケーブルカバー部
１５０    縦糸
１６０    横糸
【図１】
2016127054.tif 000003
【図２】
2016127054.tif 000004
【図３】
2016127054.tif 000005
【図４】
2016127054.tif 000006
【図５】
2016127054.tif 000007
【図６】
2016127054.tif 000008